(57)【要約】【課題】故障を確実に回避可能であると共に、斬新な動きを見せて遊技の興趣を高めることが可能な電動役物を備えたパチンコ機を提供する。【解決手段】第２種特別電動役物３４ａ，３４ｂの各開閉部材３５ａ，３５ｂは、大入賞口３３に入賞する遊技球の進行方向と同じ向きである大入賞口３３の入賞空間３３ａ側（入口の内側）へ傾動される。そして、大入賞口３３に入賞する遊技球は、傾動された各開閉部材３５ａ，３５ｂの下側を通過して大入賞口３３内に誘導される。大入賞口３３の入口が閉じられるときに大入賞口３３に入賞しようとする遊技球は、大入賞口３３の入口とは反対側へ傾動されて下垂されてくる各開閉部材３５ａ，３５ｂに当接し、その各開閉部材３５ａ，３５ｂによって大入賞口３３の外側へ弾き出される。【選択図】　図３
2004057666.tif 000002
【特許請求の範囲】
【請求項１】
遊技媒体を入賞させるための入賞口と、その入賞口の入口を開き又は拡大して遊技媒体の入賞を容易にするための電動役物とを備えた遊技機において、
前記電動役物は、開閉部材と、その開閉部材を駆動するための駆動手段とを備え、
前記駆動手段によって駆動された開閉部材が入賞口の入口の内側へ傾動されることにより、当該入口が開き又は拡大されることを特徴とする遊技機。
【請求項２】
請求項１に記載の遊技機において、
前記開閉部材の上端部には回動支軸が取り付けられており、
前記開閉部材が前記回動支軸から下垂されると、その下垂された前記開閉部材によって入賞口の入口が閉じ又は縮小され、
前記駆動手段によって当該回動支軸が回動され、前記開閉部材が入賞口の入口の内側へ傾動されると、その傾動された前記開閉部材によって当該入口が開き又は拡大されることを特徴とする遊技機。
【請求項３】
請求項１または請求項２に記載の遊技機において、
前記入賞口は、遊技媒体を受けて当該入賞口の入口へ誘導するための遊技媒体受面を備え、
前記開閉部材によって入賞口の入口が閉じ又は縮小されている状態では、前記遊技媒体受面に遊技媒体が停留されないように、前記遊技媒体受面の大きさが設定されていることを特徴とする遊技機。
【発明の詳細な説明】
【０００１】
【発明の属する技術分野】
本発明は遊技機に係り、例えば、パチンコ機に関するものである。
【０００２】
【従来の技術】
従来より、パチンコ機の遊技盤には大入賞口が設けられており、その大入賞口の入口が開き又は拡大されると、多数の遊技球が容易に入賞可能になっている。そして、大入賞口の入口を開き又は拡大するための特別電動役物として、以下の２つの形式が広く使用されている。
▲１▼大入賞口の左右両側に１組の翼状（羽根状）の開閉部材が設けられ、各開閉部材の下端部にはそれぞれ回動支軸が取付固定されている。そして、各回動支軸がソレノイド等の駆動部材によって回動されると、通常は直立状態にある両開閉部材がそれぞれの回動支軸を中心として左右に回転することで、両開閉部材が大入賞口から左右外側に向かって開き、大入賞口の入口が開き又は拡大される。
【０００３】
▲２▼大入賞口の前面側（遊技者側）に扉状の開閉部材が設けられ、その開閉部材の下端部には回動支軸が取付固定されている。そして、回動支軸がソレノイド等の駆動部材によって回動されると、通常は直立状態にある開閉部材が回動支軸を中心として回転することで、開閉部材が大入賞口の前面外側に向かって開き、大入賞口の入口が開き又は拡大される。
【０００４】
【発明が解決しようとする課題】
前記２つの形式の特別電動役物には、以下の問題点があった。
［１］開閉部材が開かれると、遊技盤面の上方から流下してきた遊技球は、開閉部材の上面に衝突した後に、開閉部材の上面を転動して大入賞口の入口へ誘導されるようになっている。
そのため、遊技球が衝突した衝撃が開閉部材の回動支軸に印加され、その衝撃力により回動支軸が破損するおそれや、その衝撃力が回動支軸から駆動部材に伝搬して駆動部材に大きな負荷が印加され、駆動部材が故障するおそれがあった。
【０００５】
［２］開閉部材が開かれたとき、複数個の遊技球が同時に大入賞口の入口へ誘導されると、当該入口と開閉部材との間に遊技球が詰まり、開閉部材が直立状態に戻らなくなる故障が起こることがあった。尚、このように遊技球が詰まった状態は、一般に「球噛み」と呼ばれている。
そして、大入賞口の入口と開閉部材との間に詰まっている遊技球に別の遊技球が衝突すると、詰まっていた遊技球が大入賞口内に強引に押し込まれて入賞することがあり、本来なら大入賞口の入口が閉じている筈で遊技球の入賞が不可能なときに、遊技球が入賞してしまうおそれがあった。
【０００６】
［３］前記２つの形式の特別電動役物は長年にわたって広く使用されているため、昨今では一般的になり過ぎてマンネリとなり、遊技者に飽きられている。そのため、遊技者が新鮮味を覚えて関心を抱き、遊技に対する興味が喚起されるような、斬新な特別電動役物が要求されている。
【０００７】
ところで、前記各問題点は、大入賞口の入口を開き又は拡大するための特別電動役物だけでなく、大入賞口以外の入賞口の入口を開き又は拡大するための普通電動役物についても同様に問題となっている。
本発明は上記問題点を解決するためになされたものであって、その目的は、故障を確実に回避可能であると共に、斬新な動きを見せて遊技の興趣を高めることが可能な電動役物を備えた遊技機を提供することにある。
【０００８】
【課題を解決するための手段・作用および発明の効果】
（請求項１）
係る目的を達成するためになされた請求項１に記載の発明は、遊技媒体を入賞させるための入賞口と、その入賞口の入口を開き又は拡大して遊技媒体の入賞を容易にするための電動役物とを備えた遊技機において、前記電動役物は、開閉部材と、その開閉部材を駆動するための駆動手段とを備え、前記駆動手段によって駆動された開閉部材が入賞口の入口の内側へ傾動されることにより、当該入口が開き又は拡大されることをその要旨とする。
【０００９】
請求項１に記載の発明では、入賞口に入賞する遊技媒体の進行方向と同じ向きである入賞口の入口の内側へ開閉部材が傾動される。そして、入賞口に入賞する遊技媒体は、傾動された開閉部材を通過して入賞口内に誘導される。そのため、入賞口に入賞する遊技媒体が、開閉部材に衝突することはほとんどない。また、入賞口に入賞する遊技媒体が開閉部材に衝突したとしても、その衝突による衝撃力はごく小さなものであり、その衝撃力は駆動手段に対してほとんど影響を与えない。従って、請求項１に記載の発明によれば、入賞口に入賞した遊技媒体の衝撃力によって起こる電動役物の故障を確実に回避できる。
【００１０】
また、請求項１に記載の発明では、入賞口の入口が閉じられるときに入賞口に入賞しようとする遊技媒体は、入賞口の入口とは反対側へ傾動されてくる開閉部材に当接し、その開閉部材によって入賞口の外側へ弾き出される。従って、請求項１に記載の発明によれば、入賞口の入口と開閉部材との間に遊技媒体が詰まることがなく、遊技媒体が詰まって開閉部材が元の状態に戻らなくなる故障を確実に回避できる。
そして、請求項１に記載の発明による電動役物は、過去に例が無く斬新であるため、遊技者が新鮮味を覚えて関心を抱き、遊技に対する興味が喚起されることから、遊技の興趣を高めることができる。
【００１１】
（請求項２）
次に、請求項２に記載の発明は、請求項１に記載の遊技機において、前記開閉部材の上端部には回動支軸が取り付けられており、前記開閉部材が前記回動支軸から下垂されると、その下垂された前記開閉部材によって入賞口の入口が閉じ又は縮小され、前記駆動手段によって当該回動支軸が回動され、前記開閉部材が入賞口の入口の内側へ傾動されると、その傾動された前記開閉部材によって当該入口が開き又は拡大されることをその要旨とする。
従って、請求項２に記載の発明によれば、遊技媒体は傾動された開閉部材の下側を通過して入賞口内に誘導されるため、遊技媒体が開閉部材に衝突することがほとんどなくなり、請求項１に記載の発明の作用・効果を更に確実に得ることができる。
【００１２】
（請求項３）
次に、請求項３に記載の発明は、請求項１または請求項２に記載の遊技機において、前記入賞口は、遊技媒体を受けて当該入賞口の入口へ誘導するための遊技媒体受面を備え、前記開閉部材によって入賞口の入口が閉じ又は縮小されている状態では、前記遊技媒体受面に遊技媒体が停留されないように、前記遊技媒体受面の大きさが設定されていることをその要旨とする。
従って、請求項３に記載の発明によれば、遊技媒体受面に遊技媒体が停留しないため、入賞口の入口と開閉部材との間に遊技媒体が詰まるのを確実に回避可能になり、請求項１に記載の発明の作用・効果を更に確実に得ることができる。
【００１３】
（用語の説明）
尚、上述した［特許請求の範囲］および［課題を解決するための手段および発明の効果］に記載した構成要素と、後述する［発明の実施の形態］に記載した構成部材との対応関係は以下のようになっている。
「遊技機」は、第２種パチンコ機１０に該当する。
「遊技媒体」は、遊技球に該当する。
「入賞口」は、大入賞口３３に該当する。
「電動役物」は、第２種特別電動役物３４ａ，３４ｂに該当する。
「駆動手段」は、第２種特別電動役物ソレノイド４２ａ，４２ｂ、クランク４７ａ，４７ｂから構成されている。
「遊技媒体受面」は、球受面３３ｂ，３３ｃに該当する。
【００１４】
【発明の実施の形態】
以下、本発明の遊技機を第２種パチンコ機に具体化した一実施形態について図面を参照しながら説明する。
［全体の主要構成］
図１は、本実施形態における第２種パチンコ機１０の正面図である。
第２種パチンコ機（遊技機）１０には、略矩形状の前枠１１が開閉可能に取り付けられている。前枠１１には、ガラス枠１２が開閉可能に取り付けられている。ガラス枠１２には、所定間隔（例えば、５〜１０ｍｍ程度）だけ前後方向に離間させて２枚のガラス板１３ａ，１３ｂが嵌め込まれている。ガラス枠１２および各ガラス板１３ａ，１３ｂの後面側（遊技者とは反対側）には、遊技盤１４が設けられており、各ガラス板１３ａ，１３ｂと遊技盤１４とは平行に配置されている。
【００１５】
前枠１１の右下方には、発射ハンドル１５ａが回動可能に取り付けられている。遊技者が発射ハンドル１５ａを握って回動操作したことに基づいて、発射モータ（図示略）が駆動され、発射ハンドル１５ａの回動角度に応じた発射速度で遊技球（遊技媒体）が遊技盤１４へ発射される。また、遊技者が、発射ハンドル１５ａに設けられた発射停止スイッチ１５ｂを操作したことに基づいて、発射モータが停止されて遊技球の発射も停止される。
【００１６】
ガラス枠１２の上方の前枠１１には、枠ランプ１８ａが設けられている。
ガラス枠１２の下方の前枠１１の前面側には、上受皿パネル１６が開閉可能に取り付けられている。
上受皿パネル１６の左側上部には、遊技球が賞球（賞媒体）や貸球として供給される賞球・貸球供給口１７が形成されている。
上受皿パネル１６における賞球・貸球供給口１７の供給側には、賞球・貸球供給口１７から供給された遊技球（賞球、貸球）を収容するための上受皿１９が設けられている。
【００１７】
上受皿１９の下方には、上受皿１９の収容可能数を超えた遊技球を排出する下受皿排出口１９ａが形成されている。
下受皿排出口１９ａの排出側には、下受皿排出口１９ａから排出された遊技球を収容しておくための下受皿２０が設けられている。
上受皿１９の上部右方には、上受皿１９に収容された遊技球を下受皿排出口１９ａから下受皿２０へ排出させるための上受皿球抜きレバー１９ｂがスライド可能に設けられている。
下受皿２０の下方には、下受皿２０に収容された遊技球を下受皿球抜孔２０ａから球箱（図示略）へ排出させるための下受皿球抜きレバー２０ｂがスライド可能に設けられている。
【００１８】
上受皿１９内の遊技球は、上受皿１９の右方に開口された導入口（図示略）から上受皿１９の背面側に設けられた発射装置（図示略）へ供給され、発射装置に設けられた発射モータによって遊技盤１４へ発射されるようになっている。
前枠１１の左側には、遊技機外装置部分（ＣＲカードサンド）２２が取り付けられている。遊技機外装置部分２２には、プリペイドカードを挿入するためのスリット２２ａなどが設けられている。つまり、第２種パチンコ機１０は、現金ではなくプリペイドカードを使用して遊技を行うタイプであり、このタイプは一般に「ＣＲ機」と呼ばれている。
【００１９】
［遊技盤１４の主要構成］
図２は、第２種パチンコ機１０から取り外した遊技盤１４を表側から見た正面図である。
遊技盤１４の左方には、遊技盤１４に発射された遊技球を遊技領域へ案内するためのガイドレール２１が設けられている。
遊技盤１４の中央部上寄り左右には、ＬＥＤによって装飾された装飾風車２５ａ，２５ｂが設けられている。遊技盤１４の上部左右両端には、コーナー飾りランプ１８ｂ，１８ｃが設けられている。遊技盤１４の中央部左右両端には、サイド飾りランプ１８ｄ，１８ｅが設けられている。
【００２０】
遊技盤１４の略中央部には、可変入賞装置３２が設けられている。可変入賞装置３２の上端部中央には、天入賞口３１が開口されている。可変入賞装置３２には、大入賞口３３および第２種特別電動役物３４ａ，３４ｂが設けられている。第２種特別電動役物３４ａ，３４ｂは、大入賞口３３の両側に左右対称の開閉部材３５ａ，３５ｂを備えている。
可変入賞装置３２の下方には、３つの第２種始動口２７ａ〜２７ｃが横方向に並べられて設けられている。
可変入賞装置３２の左側には左袖入賞口２４ａが設けられ、可変入賞装置３２の右側には右袖入賞口２４ｂが設けられている。左袖入賞口２４ａの左側下方には、左下入賞口２９ａが設けられている。右袖入賞口２４ｂの右側下方には、右下入賞口２９ｂが設けられている。
【００２１】
可変入賞装置３２の左右にはそれぞれ、普通の風車２３ａ〜２３ｄが設けられている。
遊技盤１４には、多くの釘（図示略）が打ち込まれており、遊技盤１４に発射された遊技球は、それら釘の間を乱舞しながら遊技盤１４面を流下（落下）する。
遊技盤１４の最下部中央には、遊技盤１４面を流下した遊技球のうち、各入賞口２４ａ，２４ｂ，２９ａ，２９ｂ，３１，３３および第２種始動口２７ａ〜２７ｃのいずれにも入賞しなかった遊技球をアウト球として回収するアウト口４９が設けられている。
【００２２】
［可変入賞装置３２の構成］
図３は、可変入賞装置３２の斜視図である。
可変入賞装置３２の筺体は、遊技球の衝突にも影響を受けないような、十分な強度を備えた合成樹脂材料によって形成されている。
可変入賞装置３２の上部には大入賞口３３が開口されており、大入賞口３３の左右両側の入口には左右対称の開閉部材３５ａ，３５ｂを備えている。
そして、大入賞口３３における各開閉部材３５ａ，３５ｂ間の空間により、大入賞口３３の入賞空間３３ａが構成されている。
開閉部材３５ａ，３５ｂは翼状（羽根状）をなし、各開閉部材３５ａ，３５ｂの上端部にはそれぞれ回動支軸３６ａ，３６ｂが取付固定されている。
【００２３】
大入賞口３３の左右入口の下部側はそれぞれ、当該左右入口の上部側よりも左右両側に張り出しており、その張り出した部分により各球受面３３ｂ，３３ｃが形成されている。
図３（Ｂ）に示すように、各開閉部材３５ａ，３５ｂが鉛直下方向に下垂して大入賞口３３の入口が閉じられた状態では、各球受面３３ｂ，３３ｃの横方向の幅が狭くなり、その幅は遊技球の半径よりも小さくなるように設定されている。大入賞口３３の内部には、大入賞口スイッチ３７ａ，３７ｂ、ハウジング３８、特定領域３９、一般領域４０が設けられている。
【００２４】
遊技球は、後述するように傾動された開閉部材３５ａ，３５ｂの下側を通過して大入賞口３３に入賞した後、大入賞口スイッチ３７ａ，３７ｂによって個数がカウントされ、前面側（遊技者側）が開放されているハウジング３８内を通過してから、特定領域３９または一般領域４０に入賞して遊技盤１４の裏面側へ送られる。
特定領域３９内には、特定領域３９に入賞した遊技球を検出するための特定領域スイッチ３９ａが設けられている。
尚、大入賞口３３およびハウジング３８の前面側は開放されているが、それら前面側とガラス板１３ｂとの間隔は遊技球が通過不能な程度に狭く設定されているため、大入賞口３３およびハウジング３８の前面側から遊技球が出入りすることはない。
【００２５】
図４は、可変入賞装置３２から取り出した第２種特別電動役物３４ａ，３４ｂの斜視図である。
第２種特別電動役物３４ａは、開閉部材３５ａ、回動支軸３６ａ、第２種特別電動役物ソレノイド４２ａ、クランク４７ａなどから構成されている。また、第２種特別電動役物３４ｂは、開閉部材３５ｂ、回動支軸３６ｂ、第２種特別電動役物ソレノイド４２ｂ、クランク４７ｂなどから構成されている。
各ソレノイド４２ａ，４２ｂのプランジャ４３ａ，４３ｂの先端部にはそれぞれ、各クランク４７ａ，４７ｂを介して回動支軸（シャフトピン）３６ａ，３６ｂが取り付けられている。
【００２６】
各ソレノイド４２ａ，４２ｂは、通電されるとプランジャ４３ａ，４３ｂを退縮させ、通電が停止されると内部に備えられたバネ（図示略）の復元力によりプランジャ４３ａ，４３ｂを伸長させるようになっている。
また、各ソレノイド４２ａ，４２ｂは、板状の固定材４８の背面側に取付固定され、第２種特別電動役物３４ａ，３４ｂは一体物として構成されている。
そして、固定材４８の表面側が可変入賞装置３２の背面側に取付固定されることにより、第２種特別電動役物３４ａ，３４ｂは可変入賞装置３２に取り付けられるようになっている。
【００２７】
図４（Ａ）は、各ソレノイド４２ａ，４２ｂの各プランジャ４３ａ，４３ｂが伸長している状態を示す。
プランジャ４３ａが伸長すると、クランク４７ａは時計回り（矢印α方向）に回動され、そのクランク４７ａの回動に伴って、回動支軸３６ａも時計回りに回動され、その結果、開閉部材３５ａは鉛直下方向に下垂された位置に保持される。
また、プランジャ４３ｂが伸長すると、クランク４７ｂは反時計回り（矢印β方向）に回動され、そのクランク４７ｂの回動に伴って、回動支軸３６ｂも反時計回りに回動され、その結果、開閉部材３５ｂは鉛直下方向に下垂された位置に保持される。
そして、各開閉部材３５ａ，３５ｂが鉛直下方向に下垂されると、図３（Ａ）に示すように、下垂した各開閉部材３５ａ，３５ｂによって大入賞口３３の入口が閉じられ、大入賞口３３への遊技球の入賞が不可能になる。
【００２８】
図４（Ｂ）は、各ソレノイド４２ａ，４２ｂの各プランジャ４３ａ，４３ｂが退縮している状態を示す。
プランジャ４３ａが退縮すると、クランク４７ａは反時計回り（矢印β方向）に回動され、そのクランク４７ａの回動に伴って、回動支軸３６ａも反時計回りに回動され、その結果、開閉部材３５ａは水平位置に保持される。
また、プランジャ４３ｂが退縮すると、クランク４７ｂは時計回り（矢印α方向）に回動され、そのクランク４７ｂの回動に伴って、回動支軸３６ｂも時計回りに回動され、その結果、開閉部材３５ｂは水平位置に保持される。
そして、各開閉部材３５ａ，３５ｂが水平位置に保持されると、図３（Ｂ）に示すように、各開閉部材３５ａ，３５ｂは大入賞口３３の入賞空間３３ａ側（入口の内側）へ傾動されることになり、その傾動された各開閉部材３５ａ，３５ｂによって大入賞口３３の入口が開かれ、大入賞口３３への遊技球の入賞が可能になる。
【００２９】
［第２種パチンコ機１０の電気的構成］
図５は、本実施形態における第２種パチンコ機１０の電気的構成を示すブロック回路図である。
第２種パチンコ機１０には、主基板（電子制御装置）１００が設けられており、この主基板１００には、マイクロコンピュータ（マイクロプロセッサ）１１０が搭載されている。マイクロコンピュータ１１０には、遊技の制御を実行するメインＣＰＵ１１２と、このメインＣＰＵ１１２が各種制御を実行するための各種制御プログラムが記憶されたＲＯＭ１１４と、メインＣＰＵ１１２が各種制御プログラムを実行する際にＲＯＭ１１４から読み出された制御プログラムや遊技中に発生する当たりに関するデータなどの各種データを一時的に格納するＲＡＭ１１６とが搭載されている。また、ＲＡＭ１１６は、停電などの電源遮断時における遊技状態を電源復帰後に再現するために、電源遮断時においてメインＣＰＵ１１２が処理したデータや各装置および各基板へ送り出した制御コマンドをバックアップする。
【００３０】
主基板１００には、次に記載するものが電気的に接続されている。電源基板８０、賞球（賞媒体）の払い出しや貸球の貸し出しなどを制御する払出制御基板２００、遊技盤１４に設けられたランプ類を制御するランプ制御装置７５、遊技中の効果音などを再生（発音）する音声再生装置７９ａを制御する音声制御装置７９、第２種始動口２７ａ〜２７ｃへの遊技球の入賞をそれぞれ検出するための第２種始動口スイッチ２８ａ〜２８ｃ（尚、図５ではスイッチを「ＳＷ」と表記する）、遊技盤情報（入賞、当たり、遊技停止など）をパチンコホール（遊技場）の管理室などに設けられたコンピュータ（以下、「ホールコンピュータ」という。図示略）へ送り出すための遊技枠情報端子基板５２、盤面中継基板５１、遊技枠中継基板５３である。
【００３１】
払出制御基板２００には、主基板１００から送り出される制御コマンドを入力して動作するマイクロコンピュータ（マイクロプロセッサ）２１０が搭載されており、マイクロコンピュータ２１０には、賞球の払い出しや貸球の貸し出しなどを制御するサブＣＰＵ２１２と、このサブＣＰＵ２１２が賞球の払い出しや貸球の貸し出しなどの制御を実行するための各種制御プログラムが記憶されたＲＯＭ２１４と、サブＣＰＵ２１２が各種制御プログラムを実行する際にＲＯＭ２１４から読み出された制御プログラムや遊技中に発生する賞球の個数などの各種データを一時的に格納するＲＡＭ２１６とが搭載されている。
また、払出制御基板２００には、電源基板８０、ＣＲ接続基板５６、発射モータ駆動基板１５ｃ、遊技枠情報端子基板５２、払出中継基板５５が電気的に接続されている。
【００３２】
発射モータ駆動基板１５ｃには、発射モータ１５ｅ、発射スイッチ１５ｄ、発射停止スイッチ１５ｂが電気的に接続されている。
発射ハンドル１５ａが操作されると、発射スイッチ１５ｄは発射ハンドル１５ａの回転角度に応じた検出信号を生成し、その発射スイッチ１５ｄの検出信号は発射モータ駆動基板１５ｃを介してサブＣＰＵ２１２へ送り出される。すると、サブＣＰＵ２１２から発射モータ駆動基板１５ｃを介して発射モータ１５ｅに駆動信号が出力され、発射モータ１５ｅはその駆動信号に従って、発射ハンドル１５ａの回転角度に応じた発射速度で遊技球を発射する。
【００３３】
また、発射ハンドル１５ａが操作されて発射スイッチ１５ｄがオフされると、その発射スイッチ１５ｄの検出信号は発射モータ駆動基板１５ｃを介してサブＣＰＵ２１２へ送り出される。すると、サブＣＰＵ２１２から発射モータ駆動基板１５ｃを介して発射モータ１５ｅに駆動停止信号が出力され、発射モータ１５ｅはその駆動停止信号に従って遊技球の発射を停止する。
また、発射停止スイッチ１５ｂが操作されると、その発射停止スイッチ１５ｂの検出信号は発射モータ駆動基板１５ｃを介してサブＣＰＵ２１２へ送り出され、サブＣＰＵ２１２から発射モータ駆動基板１５ｃを介して発射モータ１５ｅに駆動停止信号が出力され、発射モータ１５ｅはその駆動停止信号に従って遊技球の発射を停止する。
【００３４】
遊技枠中継基板５３には、下受皿２０が賞球で満杯になったことを検出するための満杯検出スイッチ２０ｃおよびセンサ中継基板５４が電気的に接続されている。
センサ中継基板５４には、賞球ユニット６２に備えられた賞球払出センサ６２ａ，６２ｂおよび払出中継基板５５が電気的に接続されている。
【００３５】
賞球ユニット６２は、賞球払出センサ６２ａ，６２ｂおよび賞球払出モータ６２ｃを備える。賞球の払出機構（図示略）は、賞球の払い出しを効率良く行うために２カ所に設けられており、各払出機構は賞球払出モータ６２ｃによって駆動される。また、賞球払出センサ６２ａは一方の払出機構に設けられており、賞球払出センサ６２ｂは他方の払出機構に設けられている。各賞球払出センサ６２ａ，６２ｂの検出信号は、センサ中継基板５４から遊技枠中継基板５３を介して主基板１００へ送り出され、その信号に基づいてメインＣＰＵ１１２は、払い出された賞球の個数をカウントする。
払出中継基板５５には、貸球がなくなったことを検出するための貸球切れスイッチ６１、賞球払出モータ６２ｃ、貸球を供給する貸球ユニット６３が電気的に接続されている。
【００３６】
盤面中継基板５１には、次に記載するものが電気的に接続されている。大入賞口スイッチ３７ａ，３７ｂ、各袖入賞口２４ａ，２４ｂのいずれかへの遊技球の入賞を検出するための袖入賞口スイッチ２４ｃ、各下入賞口２９ａ，２９ｂのいずれかへの遊技球の入賞を検出するための下入賞口スイッチ２９ｃ、天入賞口３１への遊技球の入賞を検出するための天入賞口スイッチ３１ａ、大入賞口中継基板５０である。
大入賞口中継基板５０には、特定領域スイッチ３９ａ、第２種特別電動役物ソレノイド４２ａ，４２ｂ（尚、図５ではソレノイドを「ＳＬ」と表記する）が電気的に接続されている。
ＣＲ接続基板５６には、プリペイドカードを読み取る装置などを備える遊技機外装置部分２２が電気的に接続されている。
【００３７】
電源基板８０は、主電源７０から交流（ＡＣ）２４Ｖ（５０Ｈｚ／６０Ｈｚ）の電源供給を受け、その交流電源から各種電圧の直流電源を生成し、その直流電源を各基板５６，１００，２００および各装置７５，７９へ供給する。
そして、主基板１００のメインＣＰＵ１１２には、第２種始動口スイッチ２８ａ〜２８ｃの検出信号が入力され、盤面中継基板５１を介して各スイッチ２４ｃ，２９ｃ，３１ａ，３７ａ，３７ｂの検出信号が入力され、大入賞口中継基板５０から盤面中継基板５１を介して特定領域スイッチ３９ａの検出信号が入力され、センサ中継基板５４から遊技枠中継基板５３を介して各賞球払出センサ６２ａ，６２ｂの検出信号が入力される。
各スイッチ２４ｃ，２８ａ〜２８ｃ，２９ｃ，３１ａ，３９ａ，３７ａ，３７ｂは、例えば、発光素子から受光素子へ投射される投射光を遊技球が遮ったことに基づいて遊技球を検出する光学式センサや、鋼球である遊技球が通過したことを電磁誘導を用いて検出する検流器などによって構成されている。
【００３８】
［第２種パチンコ機１０の動作］
主基板１００のメインＣＰＵ１１２は、ＲＯＭ１１４に記録（記憶）されているプログラムに従い、コンピュータによる各種演算処理に基づいて、以下の動作を実行する。
メインＣＰＵ１１２は、第２種始動口スイッチ２８ａ〜２８ｃの検出信号に基づいて、遊技盤１４に発射された遊技球が第２種始動口２７ａ〜２７ｃのいずれかに入賞したことを検出すると、賞球ユニット６２を駆動制御し、所定個数の遊技球を賞球・貸球供給口１７から払い出させる。
【００３９】
また、メインＣＰＵ１１２は、第２種始動口２７ａ〜２７ｃのいずれかに遊技球が入賞したことを検出すると、第２種特別電動役物ソレノイド４２ａ，４２ｂに駆動制御信号を所定時間ｔ（例えば、０．５秒間）だけ出力し、各ソレノイド４２ａ，４２ｂに通電させる。
すると、各ソレノイド４２ａ，４２ｂへの通電によって各プランジャ４３ａ，４３ｂが退縮され、各開閉部材３５ａ，３５ｂが大入賞口３３の入賞空間３３ａ側（入口の内側）へ傾動されて大入賞口３３の入口が開かれる。その後、所定時間ｔが経過すると、各ソレノイド４２ａ，４２ｂへの通電が停止されて各プランジャ４３ａ，４３ｂが伸長され、各開閉部材３５ａ，３５ｂが鉛直下方向に下垂されて大入賞口３３の入口が閉じられる。
【００４０】
つまり、第２種始動口２７ａ〜２７ｃのいずれにもに遊技球が入賞していない通常時には、各開閉部材３５ａ，３５ｂが鉛直下方向に下垂され、大入賞口３３の入口が閉じられている。
そして、第２種始動口２７ａ〜２７ｃのいずれかに遊技球が入賞すると、所定時間ｔだけ各開閉部材３５ａ，３５ｂが大入賞口３３の入賞空間３３ａ側（入口の内側）へ傾動され、当該時間ｔだけ大入賞口３３の入口が開かれる。
このとき、傾動された開閉部材３５ａ，３５ｂの下側を通過した遊技球が大入賞口３３に入賞すると、その遊技球は大入賞口スイッチ３７ａ，３７ｂによって検出される。
【００４１】
そして、メインＣＰＵ１１２は、大入賞口スイッチ３７ａ，３７ｂの検出信号に基づいて、大入賞口３３に入賞した遊技球の個数をカウントし、そのカウントした個数に従って賞球ユニット６２を駆動制御し、所定個数の遊技球を賞球・貸球供給口１７から払い出させる。
大入賞口スイッチ３７ａ，３７ｂを通過した遊技球は、ハウジング３８内を通過した後に、特定領域３９または一般領域４０に入賞して遊技盤１４の裏面側へ送られる。
【００４２】
このとき、メインＣＰＵ１１２は、特定領域スイッチ３９ａの検出信号に基づいて、特定領域３９に遊技球が入賞したことを検出すると、大当たり遊技状態（特別遊技状態）を発生させる。
この大当たり遊技状態において、メインＣＰＵ１１２は、各開閉部材３５ａ，３５ｂの傾動による大入賞口３３の開閉動作を所定回数（例えば、１０回）だけ繰り返させ、大入賞口３３への多数の遊技球の入賞を可能にする。
【００４３】
そして、メインＣＰＵ１１２は、大入賞口３３の開閉動作を所定回数繰り返させている最中に、大入賞口３３に入賞した遊技球の個数が所定個数（例えば、１０個）に達すると、大入賞口３３の開閉動作を停止して大入賞口３３を閉じ、大当たり遊技状態を終了する。
尚、第２種パチンコ機１０では、前記のように大入賞口３３の開閉動作が所定回数繰り返される期間が「１ラウンド」の遊技と呼ばれている。
【００４４】
［実施形態の作用・効果］
以上詳述した本実施形態によれば、以下の作用・効果を得ることができる。
（１）各開閉部材３５ａ，３５ｂは、大入賞口３３に入賞する遊技球の進行方向と同じ向きである大入賞口３３の入賞空間３３ａ側（入口の内側）へ傾動される。そして、大入賞口３３に入賞する遊技球は、傾動された各開閉部材３５ａ，３５ｂの下側を通過して大入賞口３３内に誘導される。
そのため、大入賞口３３に入賞する遊技球が、各開閉部材３５ａ，３５ｂに衝突することはほとんどない。また、大入賞口３３に入賞する遊技球が各開閉部材３５ａ，３５ｂに衝突したとしても、その衝突による衝撃力はごく小さなものであり、その衝撃力は、各開閉部材３５ａ，３５ｂに接続された部材（各回動支軸３６ａ，３６ｂ、各クランク４７ａ，４７ｂ、各ソレノイド４２ａ，４２ｂ）に対してほとんど影響を与えない。
従って、本実施形態によれば、大入賞口３３に入賞した遊技球の衝撃力によって起こる第２種特別電動役物３４ａ，３４ｂの故障を確実に回避できる。
【００４５】
（２）大入賞口３３の入口が閉じられるときに大入賞口３３に入賞しようとする遊技球は、大入賞口３３の入口とは反対側へ傾動されて下垂されてくる各開閉部材３５ａ，３５ｂに当接し、その各開閉部材３５ａ，３５ｂによって大入賞口３３の外側へ弾き出される。
そのため、本実施形態によれば、大入賞口３３の入口と各開閉部材３５ａ，３５ｂとの間に遊技球が詰まることがなく、遊技球が詰まって各開閉部材３５ａ，３５ｂが下垂された状態に戻らなくなる故障を確実に回避できる。
そして、本実施形態では、大入賞口３３の入口と各開閉部材３５ａ，３５ｂとの間に詰まっている遊技球に別の遊技球が衝突し、詰まっていた遊技球が大入賞口３３内に強引に押し込まれるような状況は起こりえないため、本来なら大入賞口３３の入口が閉じている筈で遊技球の入賞が不可能なときに遊技球が入賞してしまう事態を確実に回避できる。
【００４６】
（３）本実施形態の第２種特別電動役物３４ａ，３４ｂは、過去に例が無く斬新であるため、遊技者が新鮮味を覚えて関心を抱き、遊技に対する興味が喚起されることから、遊技の興趣を高めることができる。
【００４７】
（４）大入賞口３３の左右入口の下部側はそれぞれ、当該左右入口の上部側よりも左右両側に張り出しており、その張り出した部分により各球受面３３ｂ，３３ｃが形成されている。
そのため、遊技盤１４面の上方から流下してきた遊技球は、各球受面３３ｂ，３３ｃに衝突し易くなる。そして、各球受面３３ｂ，３３ｃに衝突した遊技球は、各球受面３３ｂ，３３ｃ上を転動して大入賞口３３の入口へ誘導され、大入賞口３３の入口が開かれているときには大入賞口３３に入賞する。
従って、各球受面３３ｂ，３３ｃを設けることにより、大入賞口３３への遊技球の入賞を容易にすることができる。
尚、可変入賞装置３２の筺体は、遊技球の衝突にも影響を受けないような、十分な強度を備えた合成樹脂材料によって形成されている。
そのため、遊技球が各球受面３３ｂ，３３ｃに衝突しても、各球受面３３ｂ，３３ｃが破損または変形することはない。
【００４８】
また、図３（Ｂ）に示すように、各開閉部材３５ａ，３５ｂが鉛直下方向に下垂して大入賞口３３の入口が閉じられた状態では、各球受面３３ｂ，３３ｃの横方向の幅が狭くなり、その幅は遊技球の半径よりも小さくなるように設定されている。
そのため、各球受面３３ｂ，３３ｃに衝突した遊技球は、大入賞口３３の入口が閉じられた状態では、各球受面３３ｂ，３３ｃ上に乗っても停留することなく下方へ落下する。
逆に言うと、大入賞口３３の入口が閉じられた状態で各球受面３３ｂ，３３ｃ上に遊技球が停留しないように、各球受面３３ｂ，３３ｃの大きさが設定されている。
従って、大入賞口３３の入口と各開閉部材３５ａ，３５ｂとの間に遊技球が停留して詰まることがなく、前記（２）の作用・効果を確実に得ることができる。
【００４９】
［別の実施形態］
ところで、本発明は上記実施形態に限定されるものではなく、以下のように具体化してもよく、その場合でも、上記実施形態と同等もしくはそれ以上の作用・効果を得ることができる。
［１］上記実施形態では、各開閉部材３５ａ，３５ｂを駆動するのに各ソレノイド４２ａ，４２ｂを用いている。
しかし、ソレノイドではなく、電動モータを用いて各開閉部材３５ａ，３５ｂを駆動するようにしてもよい。
【００５０】
［２］上記実施形態では、各開閉部材３５ａ，３５ｂによって大入賞口３３の入口を完全に開くか又は閉じるようにしている。
しかし、各開閉部材３５ａ，３５ｂによって大入賞口３３の入口を拡大するか又は縮小するようにしてもよい。この場合、大入賞口３３の入口を拡大すると、遊技球の通過が容易になる。また、大入賞口３３の入口を縮小すると、遊技球の通過が不可能ではないものの困難になる。
【００５１】
［３］上記実施形態は本発明を第２種パチンコ機１０の大入賞口３３に適用したものであるが、本発明を第１種パチンコ機または第３種パチンコ機の大入賞口に適用してもよい。
また、本発明は、各種パチンコ機における大入賞口の入口を開き又は拡大するための特別電動役物だけでなく、各種パチンコ機における大入賞口以外の入賞口の入口を開き又は拡大するための普通電動役物に適用してもよい。
さらに、本発明は、各種パチンコ機に限らず、スロットマシンなどの他の遊技機に適用してもよい。
【図面の簡単な説明】
【図１】本発明を具体化した一実施形態における第２種パチンコ機１０の正面図。
【図２】第２種パチンコ機１０から取り外した遊技盤１４の正面図。
【図３】第２種パチンコ機１０の備える可変入賞装置３２の斜視図。
【図４】可変入賞装置３２から取り出した第２種特別電動役物３４ａ，３４ｂの斜視図。
【図５】第２種パチンコ機１０の電気的構成を示すブロック回路図。
【符号の説明】
１０…第２種パチンコ機
２７ａ〜２７ｃ…第２種始動口
２８ａ〜２８ｃ…第２種始動口スイッチ
３２…可変入賞装置
３３…大入賞口
３３ｂ，３３ｃ…球受面
３４ａ，３４ｂ…第２種特別電動役物
３５ａ，３５ｂ…開閉部材
３６ａ，３６ｂ…回動支軸
４２ａ，４２ｂ…第２種特別電動役物ソレノイド
４７ａ，４７ｂ…クランク
１００…主基板
１１２…メインＣＰＵ
１１４…ＲＯＭ
１１６…ＲＡＭ
【図１】
2004057666.tif 000003
【図２】
2004057666.tif 000004
【図３】
2004057666.tif 000005
【図４】
2004057666.tif 000006
【図５】
2004057666.tif 000007